(57)【要約】【課題】本発明は、ＣＤ−ＲやＤＶＤ等の表面が光るコンパクトディスクを使用し、構造が簡単で、大量にしかも安価で簡単に設置でき、害を及ぼす鳥獣を威嚇し近づけないようにすることがことができる鳥獣威嚇具を得るにある。【解決手段】ＣＤ−ＲやＤＶＤ等のコンパクトディスクと、そのコンパクトディスクの少なくとも片面に取り付けることができると共に、鳥獣を威嚇するための開口部もしくは、光透過窓を設けて、その開口部もしくは、光透過窓から前記コンパクトディスクの表面が見えるようにしたカバーと、前記コンパクトディスクと前記カバーを任意の場所に設置するための吊り糸、支柱、粘着剤等とで鳥獣威嚇具を構成している。【選択図】  図１
2004208673.tif 000002
【特許請求の範囲】
【請求項１】
ＣＤ−ＲやＤＶＤ等のコンパクトディスクと、そのコンパクトディスクの少なくとも片面に取り付けることができると共に、鳥獣を威嚇するための開口部もしくは、光透過窓を設けて、その開口部もしくは、光透過窓から前記コンパクトディスクの表面が見えるようにしたカバーと、前記コンパクトディスクと前記カバーを任意の場所に設置するための吊り糸、支柱、粘着剤等とからなることを特徴とする鳥獣威嚇具。
【請求項２】
ＣＤ−ＲやＤＶＤ等のコンパクトディスクと、そのコンパクトディスクを収容することができると共に、鳥獣を威嚇するための開口部もしくは、光透過窓を設けて、その開口部もしくは、光透過窓から内部の前記コンパクトディスクの表面が見えるようにしたカバーと、前記コンパクトディスクと前記カバーを任意の場所に設置するための吊り糸、支柱、粘着剤等とからなることを特徴とする鳥獣威嚇具。
【請求項３】
前記コンパクトディスクを、光を反射する金属板や鏡、プラスチック板等の光反射板としたことを特徴とする請求項１、２記載の鳥獣威嚇具。
【発明の詳細な説明】
【０００１】
【発明の属する技術分野】
本発明は、害を及ぼす鳥獣に対し威嚇し、寄せ付けないようにすることができる鳥獣威嚇具に関する。
【０００２】
【従来の技術】
従来の鳥獣威嚇具は、コンパクトディスクや光反射材をそのまま吊り下げたものがよく知られている。また、光反射プレートを天秤の両側に吊り下げているものがある（特開２００２−１１２６９０号公報）。また、基板材の少なくとも片面に反射光輝性フィルムを貼着しているものがある（特開２０００−３５４４４７号公報）。また、ステンレス製吊扞の下端に鳥の模型を取り付けているものがある（特開平６−２７６９０９号公報）。
【０００３】
【発明が解決しようとする課題】
従来の鳥獣の視覚に訴える鳥獣威嚇具は、構造が複雑でコストがかかり、大量にしかも安価で簡単に設置できないため、農園や田畑、庭などに少数設置しても樹木や建物等に隠れて鳥獣から見えなかったり、設置した場所の周辺だけにしか近づかなかったりして威嚇効果が少ないという欠点があった。
また、パソコンの普及により使用済みもしくは、使用しないコンパクトディスクが大量にデッドストックされたり、廃棄されているが、プラスチックゴミとして処分されるだけで有効な再資源として活用されていないという欠点があった。
【０００４】
本発明は以上のような従来の欠点に鑑み、ＣＤ−ＲやＤＶＤ等の表面が光るコンパクトディスクを使用し、構造が簡単で、大量にしかも安価で簡単に設置でき、害を及ぼす鳥獣を威嚇し近づけないようにすることができる鳥獣威嚇具を提供することを目的としている。
【０００５】
本発明の、前記ならびにそのほかの目的と新規な特徴は次の説明を添付図面と照らし合わせて読むと、より明らかになるであろう。
ただし、図面はもっぱら解説のためのものであって、本発明の技術範囲を限定するものではない。
【０００６】
【課題を解決するための手段】
上記目的を達成するために、請求項１記載の発明は、ＣＤ−ＲやＤＶＤ等のコンパクトディスクと、そのコンパクトディスクの少なくとも片面に取り付けることができると共に、鳥獣を威嚇するための開口部もしくは、光透過窓を設けて、その開口部もしくは、光透過窓から前記コンパクトディスクの表面が見えるようにしたカバーと、前記コンパクトディスクと前記カバーを任意の場所に設置するための吊り糸、支柱、粘着剤等とで鳥獣威嚇具を構成している。
【０００７】
請求項２記載の発明は、ＣＤ−ＲやＤＶＤ等のコンパクトディスクと、そのコンパクトディスクを収容することができると共に、鳥獣を威嚇するための開口部もしくは、光透過窓を設けて、その開口部もしくは、光透過窓から内部の前記コンパクトディスクの表面が見えるようにしたカバーと、前記コンパクトディスクと前記カバーを任意の場所に設置するための吊り糸、支柱、粘着剤等とで鳥獣威嚇具を構成している。
【０００８】
請求項３記載の発明は、請求項１、２に係わる発明であり、前記コンパクトディスクを、光を反射する金属板や鏡、プラスチック板等の光反射板としたことで鳥獣威嚇具を構成している。
【０００９】
【発明の実施の形態】
以下、図面に示す実施の形態により、本発明を詳細に説明する。
【００１０】
図１および図２に示す本発明の第１の実施形態において、１はＣＤ−ＲやＤＶＤ等の表面が光るコンパクトディスクで、そのコンパクトディスク１の片面に取り付けたカバー２と、そのカバー２に鳥獣を威嚇するために開口してコンパクトディスク１の表面が見えるようにした開口部２ａ、２ａ、２ａと、カバー２に設けた取付孔２ｂと、その取付孔２ｂを利用して取付けた吊り糸３とから構成されている。
コンパクトディスク１にカバー２を取り付ける方法は、接着剤や粘着剤等で貼り付けても良いし、その他の方法でも良い。
カバー２の形状は、鳥獣を威嚇する形状が望ましい。
吊り糸３は吊り紐でもよく、あるいはチェーン、ワイヤー等でもよいし、それらに捩り防止具を付けても良い。
吊り糸３は、直接コンパクトディスク１もしくはカバー２、もしくはその両方に直接取り付けても良い。
【００１１】
上記構成の鳥獣威嚇具４Ａを使用する場合、コンパクトディスク１と一体となったカバー２を、取付孔２ｂを利用して取付けた吊り糸３を用いて枝や木などの支え材５に吊して設置する。
したがって、カバー２に鳥獣を威嚇するために開口した開口部２ａ、２ａ、２ａからコンパクトディスク１の表面が光って見え、さらに風で揺れ動くので、鳥獣に対し威嚇し寄せ付けないようにすることができる。
【００１２】
【発明の異なる実施の形態】
次に、図３ないし図１４に示す本発明の異なる実施の形態について説明する。なお、これらの本発明の異なる実施の形態の説明に当たって、前記本発明の第１の実施の形態と同一構成部分には同一符号を付して重複する説明を省略する。
【００１３】
図３および図４に示す本発明の第２の実施形態において、前記本発明の第１の実施の形態と主に異なる点は、コンパクトディスク１の両面に取り付けたカバー２、２とした点と、それぞれのカバー２に鳥獣を威嚇するために設け、コンパクトディスク１の表面が見えるようにした光透過窓２ｃ、２ｃ、２ｃとした点と、取付孔２ｂ、２ｂを利用して取付けた吊り糸３とした点で、このように構成した鳥獣威嚇具４Ｂにしても、前記本発明の第１の実施の形態と同様な作用効果が得られるとともに、コンパクトディスク１両面に取り付けたカバー２、２と、それぞれのカバー２に鳥獣を威嚇するために設け、コンパクトディスク１の表面が見えるようにした光透過窓２ｃ、２ｃ、２ｃにより、コンパクトディスク１の両面で鳥獣に対し威嚇し寄せ付けないようにすることができる。
【００１４】
図５および図６に示す本発明の第３の実施形態において、前記本発明の第１の実施の形態と主に異なる点は、カバー２に設置した取付具６、６、６、６により、カバー２をコンパクトディスク１に取り付けることができるようにした点で、このように構成した鳥獣威嚇具４Ｃにしても、前記本発明の第１の実施の形態と同様な作用効果が得られるとともに、カバー２とコンパクトディスク１を簡単に一体化することができる。
取付具６により、コンパクトディスク１の中央の孔を利用して、コンパクトディスク１にカバー２を取付けても良い。
【００１５】
図７および図８に示す本発明の第４の実施形態において、前記本発明の第１の実施の形態と主に異なる点は、コンパクトディスク１とカバー２の間に支柱７を挟んで取付けた点と、その支柱７を地面８に設置した点で、このように構成した鳥獣威嚇具４Ｄにしても、前記本発明の第１の実施の形態と同様な作用効果が得られるとともに、コンパクトディスク１とカバー２を、支柱７に簡単に取り付けることができる。なお、支柱７は、風で動くように弾力性のあるバネや針金等でもよい。地面８は構造物や既存物でもよい。
【００１６】
図９および図１０に示す本発明の第５の実施形態において、前記本発明の第１の実施の形態と主に異なる点は、コンパクトディスク１の代わりに光反射板９とした点と、その光反射板９の両面に取り付けたカバー２、２とした点と、カバー２、２の間に支柱７を挟んで取付けた点と、その支柱７を地面８に設置した点で、このように構成した鳥獣威嚇具４Ｅにしても、前記本発明の第１の実施の形態と同様な作用効果が得られるとともに、カバー２、２の間に支柱７を挟んで簡単に取り付けることができるとともに、光反射板９は光を反射するものであれば金属板や鏡、プラスチック板等を使用することができる。
【００１７】
図１１および図１２に示す本発明の第６の実施形態において、前記本発明の第１の実施の形態と主に異なる点は、コンパクトディスク１を収容口２ｄからカバー２Ａの内部に収容することができるようにした点と、カバー２Ａに鳥獣を威嚇するために開口してコンパクトディスク１の表面が見えるようにした開口部２ａ、２ａ、２ａとした点と、カバー２Ａに水抜孔２ｅを設けた点と、カバー２Ａに設けた取付孔２ｂ、２ｂを利用して取付けた吊り糸３とした点で、このように構成した鳥獣威嚇具４Ｆにしても、前記本発明の第１の実施の形態と同様な作用効果が得られるとともに、コンパクトディスク１をカバー２Ａの内部に簡単に収容することができるとともに、取り出すこともできる。廃棄処分する時にも分別が簡単である。また、水抜孔２ｅにより内部に水が溜まることもない。
【００１８】
図１３および図１４に示す本発明の第７の実施形態において、前記本発明の第１の実施の形態と主に異なる点は、コンパクトディスク１の代わりに光反射板９とした点と、光反射板９を収容口２ｄからカバー２Ｂの内部に収容することができるようにした点と、カバー２Ｂに鳥獣を威嚇するために設け光反射板９の表面が見えるようにした光透過窓２ｃ、２ｃ、２ｃとした点と、光反射板９の取付穴９ａを利用して吊り糸３を取り付け、その吊り糸３をカバー２Ｂの貫通孔２ｆから露出させて設置できるようにした点で、このように構成した鳥獣威嚇具４Ｇにしても、前記本発明の第１の実施の形態と同様な作用効果が得られるとともに、光反射板９をカバー２Ｂの内部に簡単に収容することができるとともに、取り出すこともできる。廃棄処分する時にも分別が簡単である。カバー２Ｂの内部に水が溜まることない。
取付孔９ａを設けずに吊り糸３を直接光反射板９に取り付けても良い。
【００１９】
【発明の効果】
以上の説明から明らかなように、本発明にあたっては次に列挙する効果が得られる。
【００２０】
（１）請求項１記載の発明は、ＣＤ−ＲやＤＶＤ等のコンパクトディスクと、そのコンパクトディスクの少なくとも片面に取り付けることができると共に、鳥獣を威嚇するための開口部もしくは、光透過窓を設けて、その開口部もしくは、光透過窓から前記コンパクトディスクの表面が見えるようにしたカバーと、前記コンパクトディスクと前記カバーを任意の場所に設置するための吊り糸、支柱、粘着剤等とで構成されているので、鳥獣を威嚇するための開口部もしくは光透過窓から、コンパクトディスクの表面が光って見えるので、果実や野菜などの農作物や、ゴミ、ペットの餌、食品等を狙って集まる鳥獣に対し威嚇し、寄せ付けないようにすることができる。
【００２１】
（２）前記（１）によって、コンパクトディスクと一体となったカバーを吊り糸で吊り下げるか、弾力性のある支柱で設置することにより風で動き、周囲の鳥獣に対し威嚇することができる。
【００２２】
（３）前記（１）によって、コンパクトディスクの両面にカバーを取り付けることができるので、コンパクトディスクの両面で鳥獣を威嚇することができる。
【００２３】
（４）前記（１）によって、使用済みや、使用しないコンパクトディスクを再利用することができ、安価にすることができる。
パソコンの利用拡大により、使用済みのコンパクトディスクが大量にデッドストックされたり廃棄されるので、それの再利用により資源の有効利用ができる。
【００２４】
（５）前記（１）によって、構造が簡単であり、大量にしかも安価で簡単に設置することができる。
【００２５】
（６）請求項２記載の発明は、ＣＤ−ＲやＤＶＤ等のコンパクトディスクと、そのコンパクトディスクを収容することができると共に、鳥獣を威嚇するための開口部もしくは、光透過窓を設けて、その開口部もしくは、光透過窓から内部の前記コンパクトディスクの表面が見えるようにしたカバーと、前記コンパクトディスクと前記カバーを任意の場所に設置するための吊り糸、支柱、粘着剤等とで構成されているので、前記（１）〜（５）と同様な効果が得られるとともに、コンパクトディスクをカバー内部に収容するだけなのでより簡単にコンパクトディスクとカバーを一体化でき、廃棄処分するときにも簡単に分別することができる。
【００２６】
（７）請求項３記載の発明は、請求項１、２に係わる発明であり、前記コンパクトディスクを、光を反射する金属板や鏡、プラスチック板等の光反射板としたことで構成されているので、前記（１）〜（６）と同様な効果が得られるとともに、コンパクトディスクの代わりに、金属板や鏡、プラスチック板等の光反射板を利用することができ、光を反射する物であれば何でもこの鳥獣威嚇具に使用することができる。
【００２７】
（８）したがって、ＣＤ−ＲやＤＶＤ等の表面が光るコンパクトディスクを使用し、構造が簡単で、大量にしかも安価で簡単に設置でき、害を及ぼす鳥獣を威嚇し寄せ付けないようにすることができる。
また、使用済みや使用しないコンパクトディスクを再資源として利用することができる他、光を反射するものであれば、光反射板として利用できる。
【図面の簡単な説明】
【図１】本発明の、第１の実施の形態の正面図。
【図２】図１の、Ａ−Ａ線に沿う断面図。
【図３】本発明の、第２の実施の形態の正面図。
【図４】図３の、Ｂ−Ｂ線に沿う断面図。
【図５】本発明の、第３の実施の形態の正面図。
【図６】図５の、Ｃ−Ｃ線に沿う断面図。
【図７】本発明の、第４の実施の形態の正面図。
【図８】図７の、Ｄ−Ｄ線に沿う断面図。
【図９】本発明の、第５の実施の形態の正面図。
【図１０】図９の、Ｅ−Ｅ線に沿う断面図。
【図１１】本発明の、第６の実施の形態の正面図。
【図１２】図１１の、Ｆ−Ｆ線に沿う断面図。
【図１３】本発明の、第７の実施の形態の正面図。
【図１４】図１３の、Ｇ−Ｇ線に沿う断面図。
【符号の説明】
１：コンパクトディスク
２、２Ａ、２Ｂ：カバー
２ａ：開口部
２ｂ：取付孔
２ｃ：光透過窓
２ｄ：収容口
２ｅ：水抜孔
２ｆ：貫通孔
３：吊り糸
４Ａ、４Ｂ、４Ｃ、４Ｄ、４Ｅ、４Ｆ、４Ｇ：鳥獣威嚇具
５：支え材
６：取付具
７：支柱
８：地面
９：光反射板
９ａ：取付穴
【図１】
2004208673.tif 000003
【図２】
2004208673.tif 000004
【図３】
2004208673.tif 000005
【図４】
2004208673.tif 000006
【図５】
2004208673.tif 000007
【図６】
2004208673.tif 000008
【図７】
2004208673.tif 000009
【図８】
2004208673.tif 000010
【図９】
2004208673.tif 000011
【図１０】
2004208673.tif 000012
【図１１】
2004208673.tif 000013
【図１２】
2004208673.tif 000014
【図１３】
2004208673.tif 000015
【図１４】
2004208673.tif 000016